(57)【要約】【課題】記録ディスクに対して情報の記録／再生を行うディスク駆動装置に関し、記録ディスクのローディング機構を簡単する。【解決手段】ディスク駆動装置１は、光ディスク２を回転させるためのスピンドルモータ４と、スピンドルモータ４の回転側組立体４ａに設けられたターンテーブル５と、光ディスク２をターンテーブル５との間で挟持してチャッキングする押さえ板６とを備える。スピンドルモータ４は、軸部４２の外周面に螺旋状に設けられた螺旋状部材４７と、軸受筒部４４の内周面に突出して設けられたガイド部材４８，４９とを備える。スピンドルモータ４の回転側組立体４ａが図示Ｂ方向に見て時計回り方向（正転方向）に回転すると、螺旋状部材４７とガイド部材４８との係合作用により、回転側組立体４ａが上昇（図示Ｂ方向に移動）し、ターンテーブル５が上昇する。【選択図】      図２
2004348829.tif 000002
【特許請求の範囲】
【請求項１】
固定側組立体と該固定側組立体に対して回転される回転側組立体とから成る記録ディスクを回転させるためのモータと、前記モータの回転側組立体に設けられた前記記録ディスクを載置するためのターンテーブルと、前記ターンテーブルの上方に配置されて、前記記録ディスクを前記回転側組立体の回転力発生用の磁石の磁力により前記ターンテーブルとの間で挟持してチャッキングする磁性体から成る押さえ板と、前記記録ディスクをチャッキングするために前記ターンテーブルを上昇させるターンテーブル上昇手段とを備え、前記ターンテーブルは、前記記録ディスクのセンターホールが嵌入されるセンター凸部を有し、前記押さえ板は、前記センター凸部が嵌入されるセンター凹部を有するディスク駆動装置において、
前記押さえ板は、１方向にのみ回転が可能なワンウェイベアリングにより１方向にのみ回転が可能に保持されており、
前記ターンテーブルは、前記押さえ板の回転可能な方向に向かって高さが漸次高くなる傾斜面を有する係止爪を前記センター凸部の上面に備え、
前記押さえ板は、前記係止爪と係止される前記押さえ板の回転可能な方向に向かって深さが漸次深くなる傾斜面を有する係止穴を前記センター凹部内に備え、前記ターンテーブル上昇手段は、前記回転側組立体の回転を利用して該回転側組立体を上昇させることにより、前記ターンテーブルを上昇させるものであり、前記回転側組立体の軸部の外周面に螺旋状に設けられた螺旋状部材と、前記固定側組立体の前記軸部が挿入される軸受筒部の内周面に設けられて、前記螺旋状部材と係合可能なガイド部材とを備え、
前記螺旋状部材は、前記係止爪が前記係止穴に係止されている状態では、該螺旋状部材の下端が前記ガイド部材より上方に位置し、前記係止爪が前記係止穴から外れた状態では、該螺旋状部材の下端が前記ガイド部材に係合し得る位置に配設されており、
前記回転側組立体の磁石と前記押さえ板との間に作用する磁力は、前記螺旋状部材の下端が前記ガイド部材より上側にある状態においては、前記記録ディスクが載置されたターンテーブル及び回転側組立体を引き上げて前記押さえ板に保持するのに充分な強度を有することを特徴とするディスク駆動装置。
【請求項２】
固定側組立体と該固定側組立体に対して回転される回転側組立体とから成る記録ディスクを回転させるためのモータと、前記モータの回転側組立体に設けられた前記記録ディスクを載置するためのターンテーブルと、前記ターンテーブルの上方に配置されて、前記記録ディスクを前記回転側組立体の回転力発生用の磁石の磁力により前記ターンテーブルとの間で挟持してチャッキングする磁性体から成る押さえ板と、前記記録ディスクをチャッキングするために前記ターンテーブルを上昇させるターンテーブル上昇手段とを備えたディスク駆動装置において、
前記ターンテーブル上昇手段は、前記回転側組立体の回転を利用して該回転側組立体を上昇させることにより、前記ターンテーブルを上昇させることを特徴とするディスク駆動装置。
【請求項３】
前記ターンテーブル上昇手段は、前記回転側組立体の軸部の外周面に螺旋状に設けられた螺旋状部材と、前記固定側組立体の前記軸部が挿入される軸受筒部の内周面に設けられて、前記螺旋状部材と係合可能なガイド部材とを有する請求項２に記載のディスク駆動装置。
【発明の詳細な説明】
【０００１】
【発明の属する技術分野】
本発明は、光ディスクや磁気ディスク等の記録ディスクに対して情報の記録／再生を行うディスク駆動装置に関する。
【０００２】
【従来の技術】
従来、例えば光ディスクに対して情報の記録／再生を行うディスク駆動装置は、情報の記録／再生を行うに際して、光ディスクをディスクトレイにてディスク駆動装置内部のターンテーブル上に搬送し、光ディスクをターンテーブルと押さえ板との間でチャッキングするローディング動作を行う。そして、光ディスクに対する情報の記録／再生は、チャッキングされた光ディスクをスピンドルモータにより回転させながら光ディスクに対して光ピックアップからレーザ光を照射して行う。
【０００３】
このようなディスク駆動装置では、ディスクトレイによる光ディスクの搬送は、ローディングモータの動力によりディスクトレイを移動させることにより行われる。また、押さえ板は、ターンテーブルの上方に配置されており、光ディスクのチャッキングは、ターンテーブルを上昇させて、ターンテーブル上の光ディスクをターンテーブルと押さえ板との間で挟持する方法により行われる。ターンテーブルは、スピンドルモータに連結されており、チャッキング動作におけるターンテーブルの上昇は、ディスクトレイを移動させるためのローディングモータの動力を利用して、光ピックアップやスピンドルモータ等を保持する台全体を上昇させることにより行われる。また、チャッキングされた光ディスクの回転は、ターンテーブルをスピンドルモータにて回転させることにより行われる。
【０００４】
また、磁気シートに記録された情報を再生する記録再生装置に関し、磁気シート回転用のスピンドルモータの駆動軸の基端側にソレノイドを連結し、ソレノイドを作動させることによりスピンドルモータの駆動軸を上昇させて、チャッキング動作を行うようにしたものが知られている（例えば、特許文献１参照）。また、複数枚のディスクを収納しているディスク再生装置に関し、チャッキング動作を行うディスク装着手段をシリンダ及びホルダから構成し、ディスクを回転させるモータとは別のモータの動力をギヤを介してホルダに伝達させ、ホルダをシリンダに対して上昇させることでクランパを上昇させて、チャッキング動作を行うようにしたものが知られている（例えば、特許文献２参照）。
【０００５】
【特許文献１】
特開昭６２−２７００５５号公報
【特許文献２】
特開平１０−８３６１０号公報
【０００６】
【発明が解決しようとする課題】
ところが、上述した従来のディスク駆動装置においては、ディスクトレイを移動させるためのローディングモータの動力を利用してチャッキング動作時のターンテーブルの上昇を行っているため、光ディスクを搬送しチャッキングするローディング機構が複雑なものとなっていた。また、光ピックアップやスピンドルモータ等を保持する台全体を上昇させることによりターンテーブルを上昇させているため、ローディングモータの負担が大きく、ローディングモータに高トルクのモータを使用しなければならなかった。
【０００７】
また、ローディングモータとは別の動力源を設けて、その動力源によりターンテーブルを上昇させることが考えられる。しかしながら、このような構成では、スピンドルモータとローディングモータ以外に、さらに別の動力源が必要であるため、ディスク駆動装置の小型化が妨げられると共にコストが増加してしまう。なお、上述の特許文献１に記載の装置においては、磁気シートを回転させるためのスピンドルモータとは別のソレノイドの動力を利用して、チャッキング動作を行っており、上述の特許文献２に記載の装置においても、ディスクを回転させるものとは別のモータの動力を利用して、チャッキング動作を行っている。従って、これら特許文献１及び特許文献２に開示の内容を適用したとしても、上記の問題を解決することはできない。
【０００８】
本発明は、上記課題を解決するためになされたものであり、記録ディスクのローディング機構を簡単にすることができ、また、装置の小型化、低コスト化を図ることが可能なディスク駆動装置を提供することを目的とする。
【０００９】
【課題を解決するための手段】
上記目的を達成するために請求項１の発明は、固定側組立体と該固定側組立体に対して回転される回転側組立体とから成る記録ディスクを回転させるためのモータと、モータの回転側組立体に設けられた記録ディスクを載置するためのターンテーブルと、ターンテーブルの上方に配置されて、記録ディスクを回転側組立体の回転力発生用の磁石の磁力によりターンテーブルとの間で挟持してチャッキングする磁性体から成る押さえ板と、記録ディスクをチャッキングするためにターンテーブルを上昇させるターンテーブル上昇手段とを備え、ターンテーブルは、記録ディスクのセンターホールが嵌入されるセンター凸部を有し、押さえ板は、センター凸部が嵌入されるセンター凹部を有するディスク駆動装置において、押さえ板は、１方向にのみ回転が可能なワンウェイベアリングにより１方向にのみ回転が可能に保持されており、ターンテーブルは、押さえ板の回転可能な方向に向かって高さが漸次高くなる傾斜面を有する係止爪をセンター凸部の上面に備え、押さえ板は、係止爪と係止される押さえ板の回転可能な方向に向かって深さが漸次深くなる傾斜面を有する係止穴をセンター凹部内に備え、ターンテーブル上昇手段は、回転側組立体の回転を利用して該回転側組立体を上昇させることにより、ターンテーブルを上昇させるものであり、回転側組立体の軸部の外周面に螺旋状に設けられた螺旋状部材と、固定側組立体の軸部が挿入される軸受筒部の内周面に設けられて、螺旋状部材と係合可能なガイド部材とを備え、螺旋状部材は、係止爪が係止穴に係止されている状態では、該螺旋状部材の下端がガイド部材より上方に位置し、係止爪が係止穴から外れた状態では、該螺旋状部材の下端がガイド部材に係合し得る位置に配設されており、回転側組立体の磁石と押さえ板との間に作用する磁力は、螺旋状部材の下端がガイド部材より上側にある状態においては、記録ディスクが載置されたターンテーブル及び回転側組立体を引き上げて押さえ板に保持するのに充分な強度を有するものである。
【００１０】
この構成においては、記録ディスクを回転させるためのモータの回転側組立体を通常の動作と同じように回転させるだけで、回転側組立体の軸部の螺旋状部材と固定側組立体の軸受筒部のガイド部材との係合により回転側組立体が上昇して、ターンテーブルが上昇される。従って、記録ディスクをディスクトレイにてターンテーブル上に搬送するためのローディングモータの動力を利用することなく、しかも、記録ディスクを回転させるためのモータ以外の別途の動力源を必要とせずに、ターンテーブルを上昇させることができる。これにより、ローディングモータの負担が低減され、ローディングモータに低トルクのモータを使用することができるようになり、また、光ディスクをディスクトレイにてターンテーブル上に搬送して光ディスクをターンテーブルと押さえ板との間でチャッキングするためのローディング機構を簡単にすることができる。
【００１１】
また、回転側組立体の軸部の螺旋状部材と固定側組立体の軸受筒部のガイド部材とにより、回転側組立体の回転を利用して回転側組立体を上昇させているため、回転側組立体の回転を利用したターンテーブルの上昇動作をより簡単な構造で実現することができる。また、押さえ板は、１方向にのみ回転が可能とされており、光ディスクのチャッキング時には、ターンテーブルは、押さえ板の回転可能な方向に向かって高さが漸次高くなる傾斜面を有する係止爪が押さえ板の係止穴に係止される。従って、回転側組立体を押さえ板の回転可能な方向とは逆方向に回転させるだけで、押さえ板は逆方向には回転せずに、ターンテーブルが係止爪の傾斜面の作用により逆方向に回転しながら押さえ板から離脱し、記録ディスクのチャッキングを解除することができる。
【００１２】
請求項２の発明は、固定側組立体と該固定側組立体に対して回転される回転側組立体とから成る記録ディスクを回転させるためのモータと、モータの回転側組立体に設けられた記録ディスクを載置するためのターンテーブルと、ターンテーブルの上方に配置されて、記録ディスクを回転側組立体の回転力発生用の磁石の磁力によりターンテーブルとの間で挟持してチャッキングする磁性体から成る押さえ板と、記録ディスクをチャッキングするためにターンテーブルを上昇させるターンテーブル上昇手段とを備えたディスク駆動装置において、ターンテーブル上昇手段は、回転側組立体の回転を利用して該回転側組立体を上昇させることにより、ターンテーブルを上昇させるものである。
【００１３】
この構成においては、記録ディスクを回転させるためのモータの回転側組立体の回転を利用して、チャッキング動作時におけるターンテーブルの上昇が行われる。従って、記録ディスクをディスクトレイにてターンテーブル上に搬送するためのローディングモータの動力を利用することなく、しかも、記録ディスクを回転させるためのモータ以外の別途の動力源を必要とせずに、ターンテーブルを上昇させることができる。これにより、ローディングモータの負担が低減され、ローディングモータに低トルクのモータが使用できるようになり、また、光ディスクをディスクトレイにてターンテーブル上に搬送して光ディスクをターンテーブルと押さえ板との間でチャッキングするためのローディング機構が簡単にすることができる。
【００１４】
請求項３の発明は、請求項２に記載のディスク駆動装置において、ターンテーブル上昇手段は、回転側組立体の軸部の外周面に螺旋状に設けられた螺旋状部材と、固定側組立体の軸部が挿入される軸受筒部の内周面に設けられて、螺旋状部材と係合可能なガイド部材とを有するものである。
【００１５】
この構成においては、記録ディスクを回転させるためのモータの回転側組立体を通常の動作と同じように回転させるだけで、回転側組立体の軸部の螺旋状部材と固定側組立体の軸受筒部のガイド部材との係合により回転側組立体が上昇して、ターンテーブルが上昇される。これにより、回転側組立体の回転を利用したターンテーブルの上昇動作をより簡単な構造で実現することができる。
【００１６】
【発明の実施の形態】
以下、本発明を具体化した実施形態について図面を参照して説明する。図１乃至図４において、ディスク駆動装置１は、ＣＤ（コンパクトディスク）やＤＶＤ（デジタルビデオディスク）等の同心円状又は渦巻状の情報記録トラックが形成された光ディスク（記録ディスク）２に対して、情報の記録／再生を行う装置である。光ディスク２に対する情報の記録／再生は、光ディスク２をディスク駆動装置１の内部にローディングし、ローディングした光ディスク２を回転させながら光ディスク２にレーザ光を照射する方法により行われる。
【００１７】
ディスク駆動装置１は、ディスクトレイ３と、図２に示されるスピンドルモータ４と、ターンテーブル５と、押さえ板６とを備えている。ディスクトレイ３は、光ディスク２をディスク駆動装置１の内部のターンテーブル５の上方に搬送するものであり、光ディスク２が載置されるディスク載置部３１（図１参照）を有している。ディスク載置部３１には、ディスクチャッキング用の開口部３２と、レーザ光照射用の開口部３３とが形成されている。ディスクチャッキング用の開口部３２は、ディスク載置部３１の略中央に、ターンテーブル５の外形よりも大きく形成されている。ディスクトレイ３は、図示省略のローディングモータ及びローディング機構によって図１に示されるＡ方向にスライド移動されることにより、ディスク載置部３１に載置された光ディスク２をターンテーブル５の上方へ搬送する。
【００１８】
スピンドルモータ４は、情報の記録／再生を行うために光ディスク２を回転させるものであり、回転側組立体４ａと固定側組立体４ｂとから構成されている。回転側組立体４ａは、回転板４１と、軸部４２と、回転力発生用の磁石４３とを有している。回転板４１は、軸部４２の先端に固定されており、磁石４３は、回転板４１に固定されている。固定側組立体４ｂは、軸受筒部４４と、回転力発生用のコイル４５とを有している。軸受筒部４４は、軸部４２が挿入されて軸部４２を回転可能に軸受けするものであり、下側固定台７に固定されている。コイル４５は、軸受筒部４４に固定されており、図示省略の電流供給回路から電力が供給されるようになっている。スピンドルモータ４は、固定側組立体４ｂのコイル４５に電流が供給されることで磁石４３とコイル４５との間に生じる磁力により、回転側組立体４ａを固定側組立体４ｂに対して回転させるものである。
【００１９】
また、スピンドルモータ４は、軸部４２の外周面に螺旋状に設けられた螺旋状部材４７と、軸受筒部４４の内周面に突起状に設けられたガイド部材４８とを有している。螺旋状部材４７とガイド部材４８とは相互に係合するように設けられている。このような構成により、回転側組立体４ａが図２に示されるＢ方向に見て時計回り方向（正転方向）に回転すると、軸部４２の螺旋状部材４７と軸受筒部４４のガイド部材４８との係合作用により、回転側組立体４ａが固定側組立体４ｂに対して上昇（図２に示されるＢ方向に移動）する。回転側組立体４ａは、螺旋状部材４７の下端４７ａがガイド部材４８より上方に位置する高さまで上昇可能となっている。また、回転側組立体４ａが図２に示されるＢ方向に見て反時計回り方向（逆転方向）に回転すると、回転側組立体４ａは下降する。
【００２０】
ターンテーブル５は、光ディスク２を押さえ板６との間で挟持してチャッキングするものであり、スピンドルモータ４の回転側組立体４ａに設けられている。従って、ターンテーブル５は、スピンドルモータ４の回転側組立体４ａと共に回転し、また、回転側組立体４ａと共に上昇／下降する。本実施形態では、スピンドルモータ４の回転板４１がターンテーブル５として使用されており、ターンテーブル５とスピンドルモータ４の回転板４１とが同一部材となっている。
【００２１】
ターンテーブル５は、光ディスク２のセンターホール２１が嵌入されるセンター凸部５０と、センター凸部５０の上面に突出する係止爪５１と、センター凸部５０の上面に窪んだ軸受穴５１を備えている。センター凸部５０は、センター凸部５０の中心がスピンドルモータ４の軸部４２の軸心上に位置するように配置されている。図３（ａ）（ｂ）に示すように、軸受穴５１は、センター凸部５０の略中心に設けられており、係止爪５２は、軸受穴５１の周囲に４つ設けられている。係止爪５２は、各々、スピンドルモータ４の正転方向（図示Ｂ方向に見て時計回り方向であり、後述の押さえ板６の回転可能な方向）に向かって高さが漸次高くなる傾斜面を有している。
【００２２】
押さえ板６は、光ディスク２をターンテーブル５との間で挟持してチャッキングするものであり、磁性体から成っており、正転方向（図示Ｂ方向に見て時計回り方向）にのみ回転が可能なワンウェイベアリング８（図１参照）により、正転方向にのみ回転が可能なように、ターンテーブル５の上方にて上側固定台９に支持されている。光ディスク２のチャッキングは、スピンドルモータ４の回転力発生用の磁石４３と押さえ板６との間に作用する磁力により、ターンテーブル５と押さえ板６との間で光ディスク２が挟持されることにより行われる。
【００２３】
押さえ板６は、図１に示されるセンター凹部６０と、センター凹部６０の天面に突出される係合軸６１と、センター凹部６０の天面に窪んだ係止穴６２を有している。センター凹部６０は、ターンテーブル５のセンター凸部５０が嵌入されるものであり、センター凹部６０の中心がスピンドルモータ４の軸部４２の軸心上に位置するように配置されている。係合軸６１は、センター凸部５０の軸受穴５１に挿入されるものであり（押さえ板６の回転軸でもある）、係止穴６２は、センター凸部５０の係止爪５２と係止されるものである。図４（ａ）（ｂ）に示すように、係合軸６１は、センター凹部６０の略中心に設けられており、係止穴６２は、係合軸６１の周囲に４つ設けられている。係止穴６２は、各々、押さえ板６の回転可能な方向すなわちスピンドルモータ４の正転方向（図示Ｂ方向に見て時計回り方向）に向かって高さが漸次高くなる傾斜面を有している。
【００２４】
また、図２に示されるスピンドルモータ４のガイド部材４８の上端面と押さえ板６のセンター凹部６０の天面との距離Ｌ１は、スピンドルモータ４の螺旋状部材４７の下端４７ａとターンテーブル５のセンター凸部５０の上面との距離Ｌ２よりも長く、スピンドルモータ４の螺旋状部材４７の下端４７ａとターンテーブル５の係止爪５２の上端面との距離Ｌ３よりも短く構成されている。すなわち、Ｌ２＜Ｌ１＜Ｌ３の関係を満たしている。
【００２５】
また、スピンドルモータ４の磁石４３と押さえ板６との間に作用する磁力は、螺旋状部材４７の下端４７ａがガイド部材４８より上側にある状態においては、光ディスク２が載置されたターンテーブル３とスピンドルモータ４の回転側組立体４ａとを引き上げて押さえ板６に保持するのに充分な強度を有するように設計されている。
【００２６】
上記構成のディスク駆動装置１は、光ディスク２に対して情報の記録又は再生を行うに際し、光ディスク２のローディング動作を行う。光ディスク２のローディング動作は、光ディスク２をディスクトレイ３によりターンテーブル５の上方へ搬送する搬送動作と、ディスクトレイ３により搬送された光ディスク２をターンテーブル５と押さえ板６とにより挟持してチャッキングするチャッキング動作から成っている。
【００２７】
次に、上記光ディスク２のチャッキング動作及びチャッキングの解除動作について、図５及び図６を参照して説明する。光ディスク２のチャッキング動作は、光ディスク２がディスクトレイ３によりターンテーブル５の上方に搬送された後に行われる。スピンドルモータ４及びターンテーブル５は、チャッキング動作を行う前には初期位置（図２に示す位置）にある。
【００２８】
光ディスク２のチャッキング動作は、光ディスク２がディスクトレイ３によりターンテーブル５の上方に搬送されると開始され、まず、スピンドルモータ４の回転側組立体４ａが正転方向（図示Ｂ方向に見て時計回り方向）に回転される。これにより、回転側組立体４ａが軸部４２の螺旋状部材４７と軸受筒部４４のガイド部材４８との係合作用により初期位置から上昇（図示Ｂ方向への移動）し、ターンテーブル５は、回転側組立体４ａと共に正転方向に回転しながら上昇する。このとき、ターンテーブル５がディスクトレイ３の開口部３２を通り抜けて上昇することにより、光ディスク２のセンターホール２１（図２参照）がターンテーブル５のセンター凸部５０に嵌入された状態で、光ディスク２がターンテーブル５上に載置される。
【００２９】
そして、回転側組立体４ａが正転方向にさらに回転され、ターンテーブル５は、螺旋状部材４７の下端４７ａがガイド部材４８より上方に位置する高さまで回転側組立体４ａと共に上昇する。
【００３０】
ターンテーブル５がこの位置まで上昇すると、光ディスク２が載置されたターンテーブル３と回転側組立体４ａは、スピンドルモータ４の磁石４３と押さえ板６との間に作用する磁力により上方へ引き上げられ、押さえ板６に保持される。これにより、光ディスク２は、図５に示されるように、ターンテーブル５と押さえ板６との間に挟持されてチャッキングされ、光ディスク２のチャッキング動作が完了する。このとき、ターンテーブル５のセンター凸部５０は、押さえ板６のセンター凹部６０に嵌入し、係止爪５２は係止穴６２に係止される。
【００３１】
螺旋状部材４７の下端４７ａとセンター凸部５０の上面との距離Ｌ２は、ガイド部材４８の上端面とセンター凹部６０の天面との距離Ｌ１よりも短い（Ｌ２＜Ｌ１）ため、光ディスク２がチャッキングされた状態では、螺旋状部材４７の下端４７ａは、ガイド部材４８よりも上方に位置する。従って、光ディスク２がチャッキングされた状態では、回転側組立体４ａは、螺旋状部材４７の下端４７ａがガイド部材４８に接触することなく回転可能とされる。
【００３２】
光ディスク２に対する情報の記録／再生は、このようにチャッキングされた光ディスク２を回転側組立体４ａの回転によりターンテーブル５及び押さえ板６と共に正転方向へ回転させながら、下側固定台７に配置された図示省略の光ピックアップから光ディスク２にレーザ光を照射することにより行われる。
【００３３】
また、光ディスク２のチャッキングの解除動作は、以下の様に行われる。まず、回転側組立体４ａが逆転方向（図示Ｂ方向に見て反時計回り方向）、すなわち押さえ板６の回転可能な方向とは逆方向に回転される。光ディスク２がチャッキングされている状態で回転側組立体４ａが逆転方向に回転されると、押さえ板６はワンウェイベアリング８の作用により逆転方向には回転しないため、係止爪５２及び係止穴６２の傾斜面の作用により、ターンテーブル５と押さえ板６とが相互に離反する方向への力を生じる。この力により、ターンテーブル５は逆転方向に回転しながら押さえ板６から離脱され、これにより、図６に示されるように、光ディスク２のチャッキングが解除される。
【００３４】
螺旋状部材４７の下端４７ａと係止爪５２の上端面との距離Ｌ３は、ガイド部材４８の上端面とセンター凹部６０の天面との距離Ｌ１よりも長い（Ｌ１＜Ｌ３）ため、光ディスク２のチャッキングが解除された状態では、螺旋状部材４７の下端４７ａは、ガイド部材４８よりも下方（すなわち螺旋状部材４７の下端４７ａがガイド部材４８に係合し得る位置）に位置する。
【００３５】
光ディスク２のチャッキングが解除されると、回転側組立体４ａは、逆転方向にさらに回転される。これにより、螺旋状部材４７の下端４７ａがガイド部材４８に係合し、回転側組立体４ａは、螺旋状部材４７とガイド部材４８との係合作用により下降し、ターンテーブル５は、回転側組立体４ａと共に逆転方向に回転しながら下降する。このとき、ターンテーブル５がディスクトレイ３の開口部３２を通り抜けて下降することにより、光ディスク２がディスクトレイ３上に載置される。そして、回転側組立体４ａが逆転方向にさらに回転され、ターンテーブル５は、初期位置まで回転側組立体４ａと共に下降し、光ディスク２のチャッキングの解除動作が完了する。
【００３６】
このような構成のディスク駆動装置１によれば、光ディスク２を回転させるためのスピンドルモータ４の回転側組立体４ａを正転方向に回転させるだけで、回転側組立体４ａが上昇してターンテーブル５が上昇され、光ディスク２がチャッキングされる。すなわち、スピンドルモータ４により、光ディスク２をチャッキングするためにターンテーブルを上昇させるターンテーブル上昇手段が構成されている。また、スピンドルモータ４の回転側組立体４ａを逆転方向に回転させるだけで、光ディスク２のチャッキングが解除される。従って、ターンテーブル５を上昇／下降させるための動力源を別途設けることなく、ターンテーブル５を上昇／下降させて光ディスク２のチャッキング／チャッキング解除を行うことができる。
【００３７】
なお、本発明は、上記実施形態の構成に限られず、種々の変形が可能である。例えば、上記実施形態において、ターンテーブル５とスピンドルモータ４の回転板４１とは、同一部材である必要はなく、別途形成したターンテーブルをスピンドルモータの回転板に取り付けて固定してもよい。
【００３８】
また、ターンテーブル５を上昇させる機構は、スピンドルモータ４の回転側組立体４ａの回転を利用した回転側組立体４ａの上昇によりターンテーブル５を上昇させるものであれば、どのような構成であってもよい。例えば、軸部４２の外周面の螺旋状部材４７に代えて、軸部４２の外周面に螺旋状の溝を形成してもよく、また、軸部４２の外周面に突起状のガイド部材を形成し、軸受筒部４４の内周面に螺旋状部材又は螺旋状の溝を形成してもよい。
【００３９】
また、光ディスク２のチャッキングを解除する機構は、ターンテーブル５の係止爪５２と押さえ板６の係止穴６２とを利用したものに限らず、ターンテーブル５を押さえ板６から離脱させるものであれば、どのような構成であってもよい。例えば、スピンドルモータ４の磁石４３の下方に回転力発生用のコイル４５とは別の通電制御可能なコイルを配置し、このコイルの通電を制御して磁石４３との間に磁力を発生させ、この磁力によりターンテーブル５を押さえ板６から離脱させるようにしてもよい。このような構成では、押さえ板６は、正逆両方向に回転可能であってよい。
【００４０】
【発明の効果】
以上説明したように請求項１の発明によれば、記録ディスクを回転させるためのモータの回転側組立体の回転を利用して回転側組立体を上昇させることによりターンテーブルを上昇させるため、ローディングモータに低トルクのモータが使用可能になると共にローディング機構が簡単になり、また、ディスク駆動装置が小型化できると共にディスク駆動装置のコストが低減できる。しかも、回転側組立体の軸部の外周面に螺旋状部材を設け、固定側組立体の軸受筒部の内周面に回転側組立体の螺旋状部材と係合可能なガイド部材を設けた構成であるため、回転側組立体の回転を利用したターンテーブルの上昇動作をより簡単な構造で実現することができ、ローディング機構がより簡単になる。また、押さえ板が１方向にのみ回転が可能に保持されており、ターンテーブルが押さえ板の回転可能な方向に向かって高さが漸次高くなる傾斜面を有する係止爪を備えると共に押さえ板が係止爪と係止される係止穴を備えるため、記録ディスクのチャッキングの解除をより簡単な構造で実現することができ、ローディング機構がより簡単になる。
【００４１】
請求項２の発明によれば、記録ディスクを回転させるためのモータの回転側組立体の回転を利用して回転側組立体を上昇させることによりターンテーブルを上昇させるため、ローディングモータに低トルクのモータが使用可能になると共にローディング機構が簡単になり、また、ディスク駆動装置の小型化を図ることができると共にディスク駆動装置のコストを低減することができる。
【００４２】
請求項３の発明によれば、記録ディスクを回転させるためのモータの回転側組立体の軸部の外周面に螺旋状部材を設け、固定側組立体の軸受筒部の内周面に回転側組立体の螺旋状部材と係合可能なガイド部材を設けた構成であるため、回転側組立体の回転を利用したターンテーブルの上昇動作をより簡単な構造で実現することができ、ローディング機構がより簡単になる。
【図面の簡単な説明】
【図１】本発明の一実施形態によるディスク駆動装置の概略構成を示す斜視図。
【図２】同装置の構成を示す図１のＰ−Ｐ断面図。
【図３】（ａ）は同装置のターンテーブルの構成を示す図２のＢ方向と反対方向に見た平面図、（ｂ）は（ａ）のＱ−Ｑ断面図。
【図４】（ａ）は同装置の押さえ板の構成を示す図２のＢ方向に見た平面図、（ｂ）は（ａ）のＲ−Ｒ断面図。
【図５】同装置の光ディスクのチャッキング状態を示す断面図。
【図６】同装置の光ディスクのチャッキングの解除状態を示す断面図。
【符号の説明】
１  ディスク駆動装置
２  光ディスク
３  ディスクトレイ
４  スピンドルモータ
４ａ  回転側組立体
４ｂ  固定側組立体
５  ターンテーブル
６  押さえ板
８  ワンウェイベアリング
２１  センターホール
４１  回転板
４２  軸部
４３  磁石
４４  軸受筒部
４５  コイル
４７  螺旋状部材
４７ａ  螺旋状部材の下端
４８、４９  ガイド部材
５０  センター凸部
５２  係止爪
６０  センター凹部
６２  係止穴
【図１】
2004348829.tif 000003
【図２】
2004348829.tif 000004
【図３】
2004348829.tif 000005
【図４】
2004348829.tif 000006
【図５】
2004348829.tif 000007
【図６】
2004348829.tif 000008